(57)【特許請求の範囲】
【請求項１】
屋根上に溝形フレームを架設し、該溝形フレームの溝部と押さえカバーで遮熱シートを固定して遮熱シートを屋根上に張設してなる遮熱シートの取付構造において、
上記溝形フレームと、押さえカバーとはボルト、ナットで固定される構造とされ、
上記押さえカバーの幅方向の中央下面には、上記溝形フレームの溝部に嵌合して上記遮熱シートを押さえる突出片よりなる押さえ片が形成され、上記押さえカバーの幅方向の両端には、上記遮熱シートを押さえる下方を向いた折曲片よりなる押さえ片が形成されていることを特徴とする遮熱シートの取付構造。
【請求項２】
請求項１において、
上記溝形フレームは上記溝部の両側に固定部を備える一方、上記押さえカバーは上記溝形フレームの固定部に対応する一対の固定部を備えており、
上記溝形フレームの固定部と、上記押さえカバーの固定部とを上記ボルト、ナットで固定するようにしている遮熱シートの取付構造。
【請求項３】
請求項１において、
上記溝形フレームの溝部の底部は、上記押さえカバーと上記ボルト、ナットで固定するための固定部を構成している遮熱シートの取付構造。
【請求項４】
請求項１〜３のいずれか１項において、
上記ボルトのボルト頭は、上記溝形フレームの固定部の下面側に配されるようになっており、
上記溝形フレームの固定部の下面には、ボルト回り止め突片が形成されている遮熱シートの取付構造。
【発明の詳細な説明】
【技術分野】
【０００１】
本発明は、屋根上に架設した溝形フレームの溝部と押さえカバーで遮熱シートを固定して遮熱シートを屋根上に張設してなる遮熱シートの取付構造に関する。
【背景技術】
【０００２】
従来、屋根上に遮熱シートを配設するために、固定具を介して溝形フレームを屋根上に架設し、その溝形フレームで遮熱シートを固定、張設するようにした遮熱シートの取付構造が提案されている（特許文献１参照）。
【０００３】
この種の遮熱シートの取付構造は例えば、遮熱シートを溝形フレームの溝部の内底面に別部材で押さえつけて固定した構造となっており、溝部内が外観露出しないように、溝部の開口を覆うように押さえカバーを溝形フレームに対しビス止め（ナットを使用しないネジ止め）して取り付けることが通例である。
【先行技術文献】
【特許文献】
【０００４】
【特許文献１】特開２０１０−１１２００７号公報
【発明の概要】
【発明が解決しようとする課題】
【０００５】
しかしながら、押さえカバーをビス止めすると、溝形フレーム、押さえカバーの材料である金属や樹脂の削り粉である切粉が飛散し溝形フレームの近傍に残留するため、それを取り除くための作業が発生していた。
【０００６】
また、押さえカバーの中央部と、溝形フレームの溝部の底部とをビス止めするものでは、切粉は開口を塞いだ溝内空間に発生するため、それを容易には取り除くことはできず、そのまま放置すれば、金属素材の場合には雨水等によって切粉が錆びて、周辺の屋根面にも錆が及ぶおそれがあった。
【０００７】
本発明は、このような事情を考慮して提案されたもので、その目的は、屋根上への遮熱シートの取付作業を、切粉の発生するビス止めによらず簡易、迅速に行うことができる遮熱シートの取付構造を提供することにある。
【０００８】
また、遮熱シートの溝形フレームへの固定を簡易に行えるように取付構造をシンプルにすることも、本発明の目的の１つに含まれる。
【課題を解決するための手段】
【０００９】
上記目的を達成するために、請求項１に記載の遮熱シートの取付構造は、屋根上に溝形フレームの溝部と押さえカバーで遮熱シートを固定して遮熱シートを屋根上に張設してなる遮熱シートの取付構造において、溝形フレームと、押さえカバーとはボルト、ナットで固定される構造とされ、押さえカバーの幅方向の中央下面には、溝形フレームの溝部に嵌合して遮熱シートを押さえる突出片よりなる押さえ片が形成され、押さえカバーの幅方向の両端には、遮熱シートを押さえる下方を向いた折曲片よりなる押さえ片が形成されていることを特徴とする。
【００１０】
請求項２に記載の遮熱シートの取付構造は、溝形フレームは溝部の両側に固定部を備える一方、押さえカバーは溝形フレームの固定部に対応する一対の固定部を備えており、溝形フレームの固定部と、押さえカバーの固定部とを上記ボルト、ナットで固定するようにしている。
【００１１】
請求項３に記載の遮熱シートの取付構造は、溝形フレームの溝部の底部が押さえカバーとボルト、ナットで固定するための固定部を構成している。
【００１２】
（削除）
【００１３】
請求項４に記載の遮熱シートの取付構造は、ボルトのボルト頭が溝形フレームの固定部の下面側に配されるようになっており、溝形フレームの固定部の下面には、ボルト回り止め突片が形成されている。
【発明の効果】
【００１４】
請求項１に記載の遮熱シートの取付構造によれば、溝形フレームと、押さえカバーとがボルト、ナットで固定される構造であるため、ビス止めによる切粉が発生するおそれはなく、切粉を取り除く作業が省け、遮熱シートの取付作業の迅速化が図れる。また、押さえカバーの下面には遮熱シートを押圧する押さえ片が形成されているので、遮熱シートの張力を調整でき、遮熱シートをたるみなく溝形フレームに固定することができる。
【００１５】
請求項２に記載の遮熱シートの取付構造によれば、溝形フレームの溝部の両側に設けた固定部と、それに対応した押さえカバーの固定部とを固定する構造であるため、押さえカバーを頑丈に固定できる。
【００１６】
請求項３に記載の遮熱シートの取付構造によれば、溝形フレームの溝部の底部と、押さえカバーとを固定する構造であるため、取付作業を短時間で行うことができる。
【００１７】
（削除）
【００１８】
請求項４に記載の遮熱シートの取付構造によれば、溝形フレームの固定部の下面にボルト回り止め突片が形成されているので、ボルト止め作業を簡単に行える。
【図面の簡単な説明】
【００１９】
【図１】本発明の実施形態に係る遮熱シートの取付構造の分解斜視図である。
【図２】（ａ）、（ｂ）は遮熱シートの取付手順を示した正面図である。
【図３】遮熱シートの取付状態を示した平面図である。
【図４】他の実施形態に係る遮熱シートの取付構造の分解斜視図である。
【発明を実施するための形態】
【００２０】
以下に、本発明の実施の形態について、添付図面を参照しながら説明する。
【００２１】
図１は、本発明の実施形態に係る遮熱シートの取付構造の分解斜視図である。図２（ａ）、（ｂ）は遮熱シートの取付手順を示した正面図である。図３は、遮熱シートの取付状態を示した平面図である。
【００２２】
本実施形態における遮熱シート１０の取付対象は、図２に示しているように波形屋根１であり、波形屋根１の屋根材の端部を連結した連結山部１ａに固定具３を固定したうえで、その上に溝形フレーム２０を架設して、さらにその上に遮熱シート１０を取り付けるようにしたものである。なお、取付対象の屋根は波形屋根１に限定されず、他の屋根であってもよい。
【００２３】
固定具３は、その構造の詳細を図示していないが、２つの挟着片３ａを組み合わせてなり、連結山部１ａの上方に突出した連結用のボルト体２の軸部に２つの挟着片３ａを挟着して屋根に固定される構造となっている。また、溝形フレーム２０は、固定具３に対してビス止めにて固定される構造となっている。なお、図２中の３ｂは２つの挟着片３ａを緊締してボルト体２の軸部に挟着する緊締ボルトを示しており、１ｂはボルト体２で固定するための屋根材支持金具（タイトフレーム）である。固定具３についても、他の構造の固定具を用いてもよい。また、屋根材がハゼ結合されている屋根の場合、ハゼ部に対して固定可能な固定具が用いられるが、本発明はそのような固定具を用いたものについても適用可能である。ようするに、固定具３については本明細書では一例を示したにすぎず、溝形フレーム２０の屋根への固定手法については手段を問わない。
【００２４】
遮熱シート１０は、柔軟性、伸縮性を有し、太陽熱を反射して遮断・遮熱する合成樹脂シートで構成されており、例えば本実施形態に示すように、太陽熱等を反射して遮断・遮熱する銀色等に着色した樹脂糸材を縦横に編んで形成した織物シートを好適に使用できる。
【００２５】
この遮熱シート１０は、屋根上に固定した溝形フレーム２０に固定され、溝形フレーム２０間に張設されるようになっている。本実施形態では、溝形フレーム２０に直交する方向に帯状に長い遮熱シート１０が用いられている。なお、本実施形態で用いる遮熱シート１０は、図３に示すように、幅方向の両端を除く部分（クロスハッチングで示した部位）は縦横の樹脂糸材で編み込まれて目が詰まっているが、両端は樹脂糸材（横糸１０ａ）を縦糸１０ｂで固定しないようにしている（図３の１点鎖線で囲んだ部分拡大平面図参照）。つまり、この両端部位はボルト４１の軸部を挿通させることができる挿通部１１を構成している。
【００２６】
溝形フレーム２０は、金属または硬質の合成樹脂よりなり、凹条に形成された溝部２１と、溝部２１の上端から両側に延びたフランジ片とを備えている。このフランジ片は、遮熱シート１０を挟んだ状態で溝形フレーム２０の上に配する押さえカバー３０を固定するための固定部２２、２２を構成している。
【００２７】
この固定部２２、２２のそれぞれには、取り付ける遮熱シート１０の幅寸法に対応した、押さえカバー３０と連結するためのボルト用のボルト挿通孔２３が長手方向に形成されている。図１に示すように、ボルト止めは遮熱シート１０の幅方向の両端で固定できるようになっている。
【００２８】
また、使用するボルト４１はボルト頭４１ａを下にして押さえカバー３０の上方に配したナット４２と螺合するようにしており、固定部２２の下面には、ボルト止めの際にボルト頭４１ａの回転を阻止できるようにボルト回り止め突片２４が形成されている。
【００２９】
一方、押さえカバー３０は、金属または硬質の合成樹脂よりなり、長さ寸法は遮熱シート１０の幅寸法とほぼ同一となっており、幅寸法は溝形フレーム２０の幅寸法とほぼ同一となっている。幅方向の両端には、溝形フレーム２０の固定部２２に対応した固定部３１が形成されている。その固定部３１の長手方向の両端には、溝形フレーム２０の固定部２２に形成されたボルト挿通孔２３に対応したボルト挿通孔３２が形成されている。
【００３０】
また、押さえカバー３０の幅方向の中央下面には、下方に突出する１組の突出片が形成されており、幅方向の両端には下方を向く折曲片が形成されている。これらの突出片、折曲片は溝形フレーム２０の上に配した遮熱シート１０を押さえる押さえ片３３、３４を構成しており、突出片はさらに溝形フレーム２０の溝部２１に対する嵌合片を構成している。
【００３１】
遮熱シート１０は溝形フレーム２０の上面に溝部２１を覆うように載せ置かれ、その上から押さえカバー３０を被せ、押さえ片３３、３４で遮熱シート１０を押さえて溝部２１の開口より溝部２１内に入り込んだ押さえ片３３（突出片）が溝部２１に嵌合することで遮熱シート１０は固定される。さらに、溝形フレーム２０と押さえカバー３０とをボルト４１、ナット４２で螺合することで、溝形フレーム２０、遮熱シート１０、押さえカバー３０の３部材は相互に結合、固定される。ボルト４１はボルト回り止め突片２４で回転が阻止されるから、上方のナット４２を回して固定すればよい。
【００３２】
隣接する溝形フレーム（不図示。図２に示したものの左右側に配された溝形フレーム）についても、張力を調整しながら、同様の手順で遮熱シート１０を順次固定していけば、遮熱シート１０を屋根上に張設することができる。
【００３３】
図３は、このように順次取り付けた遮熱シート１０の取付状態の平面図を示しており、この図に示すように、ボルト４１、ナット４２は遮熱シート１０の挿通部１１をボルト４１の軸が通るように取り付けられる。
【００３４】
以上のように、溝形フレーム２０を屋根上に取り付けた状態で押さえカバー３０を被せ押さえるだけで、遮熱シート１０を仮固定状態に張り渡すことができる。特に、押さえ片３３、３４のうち下面中央に形成した押さえ片３３（突出片）は溝形フレーム２０の溝部２１と嵌合（圧嵌）できるようになっているので、遮熱シート１０を弛むことなく確実に、かつ簡単・迅速に取り付けることができる。
【００３５】
また、押さえカバー３０の幅方向の両端および中央に押さえ片３３、３４が形成されているので、遮熱シート１０の張力を調整でき、遮熱シート１０をたるみなく溝形フレーム２０に固定することができる。
【００３６】
さらに、溝形フレーム２０と押さえカバー３０とをボルト４１、ナット４２により固定する構成であるため、ビス止めによる削り粉である切粉が発生することはなく、当然に切粉の除去作業の必要はなく、取付作業の迅速化が図れる。また、素材が金属の場合であっても切粉を原因とする錆の発生はない。
【００３７】
また、本実施形態のものは、溝形フレーム２０の幅方向の両端に配した固定部２２、２２をボルト止めする構造であるため、溝形フレーム２０と押さえカバー３０とを頑丈に結合できる。
【００３８】
図４は、ボルト４１、ナット４２の固定による遮熱シート１０の取付構造の他の実施形態を示す分解斜視図である。
【００３９】
図４に示した構造も図１の実施形態のものと同様に、溝形フレーム２０と押さえカバー３０で遮熱シート１０を挟み込み固定する構造となっているが、ボルト４１、ナット４２で固定する部位が異なっている。
【００４０】
すなわち、本実施形態では、溝形フレーム２０の溝部２１の底部２１ａでボルト止めするための固定部２２を構成しており、この固定部２２と、押さえカバー３０の幅方向のボルト挿通孔３２を設けた中央部とがボルト４１、ナット４２で固定されるようになっている。
【００４１】
幅方向の中央でボルト止めする構造であるため、溝形フレーム２０にはフランジ片は形成されておらず、押さえカバー３０も溝形フレーム２０の形状に応じて幅寸法が小さく形成されている。
【００４２】
また、ボルト頭４１ａが溝部２１の底部の下側に配されるので、ボルト回り止め突片２４は底部の下面に形成されている。
【００４３】
遮熱シート１０の取付固定の構造は、図１の実施形態と同様であり、押さえカバー３０の下面に形成された２種の押さえ片３３、３４（両端の折曲片と中央の突出片）によってなされる。
【００４４】
このような構造であるから、図１の実施形態と同様に種々の効果が得られるほか、中央のみでボルト止めする構成であるため、ボルト止めに時間を要しないという効果も得られる。また、溝形フレーム２０も、押さえカバー３０も幅寸法を小さくできるから、材料費を安価にできる。
【００４５】
（削除）
【００４６】
また、上記２つの実施形態で示した押さえカバー３０の押さえ片３３（突出片、嵌合片）は、中央部に空間を介して１組形成されているが、空間を設けずに一体の突出片としてもよい。例えば、この突出片のみを弾性体とし、２色成形にて形成してもよい。
【００４７】
また、上記実施形態では挿通部１１が両端にある遮熱シート１０を用いた例を示したが、挿通部１１を幅方向の中央に設けた遮熱シートを使用してもよく、そのような遮熱シートに対応させて、その中央部位をボルト止めできるようにしてもよい。
【符号の説明】
【００４８】
１０      遮熱シート
１１      挿通部
２０      溝形フレーム
２１      溝部
２１ａ      底部
２２      固定部
２３      ボルト挿通孔
２４      ボルト回り止め突片
３０      押さえカバー
３１      固定部
３２      ボルト挿通孔
３３      押さえ片（突出片、嵌合片）
３４      押さえ片（折曲片）
４１      ボルト
４１ａ      ボルト頭
４２      ナット
１      波形屋根
１ａ      連結山部
１ｂ      屋根材支持金具
２      ボルト体
３      固定具
【図１】
0005352562.tif 000002
【図２】
0005352562.tif 000003
【図３】
0005352562.tif 000004
【図４】
0005352562.tif 000005